【手続補正書】
【提出日】平成16年12月13日(2004.12.13)
【手続補正１】
【補正対象書類名】明細書
【補正対象項目名】特許請求の範囲
【補正方法】変更
【補正の内容】
【特許請求の範囲】
【請求項１】
インクを吐出する複数の吐出口を配列した記録ヘッドを、前記吐出口の配列方向と異なる方向に繰り返し走査して順次バンド単位に画像記録を行うインクジェット記録方法において、
前記記録ヘッドの１回の走査により記録される１バンドの第１ラスタまたは第１ラスタを含む複数ラスタおよび最終ラスタまたは最終ラスタを含む複数ラスタの少なくとも一方を、おのおの予め定めた個数のドットからなる複数の単位領域に分割し、
２値化画像データに基づいて、前記単位領域毎に、インク吐出量を認識し、この認識されたインク吐出量に基づいて、当該単位領域内のインク吐出量を低減するよう、吐出すべきインクドットの間引き処理を行うことにより、バンドとバンドの境界におけるつなぎスジの発生を緩和することを特徴とするインクジェット記録方法。
【請求項２】
インクを吐出する複数の吐出口を配列した記録ヘッドを複数の色毎に用い、前記吐出口の配列方向と異なる方向に前記記録ヘッドを繰り返し走査して順次バンド単位に画像記録を行うインクジェット記録方法において、
前記記録ヘッドの１回の走査により記録される１バンドの第１ラスタまたは第１ラスタを含む複数ラスタおよび最終ラスタまたは最終ラスタを含む複数ラスタの少なくとも一方を、おのおの予め定めた個数のドットからなる複数の単位領域に分割し、
２値化画像データに基づいて、各単位領域内の注目した色のインク吐出量と、当該単位領域内の他の色のインク吐出量の合計とに応じて、前記注目した色のインク吐出量を低減するよう補正し、
この補正を前記単位領域内の他の色について順次繰り返し実行し、さらに、補正対象のラスタ内のすべての単位領域について上記補正を順次繰り返し実行し、
このように各単位領域について、補正されたインク吐出量で各注目した色のインク吐出を行うよう前記単位領域内の注目した色の吐出すべきインクドットの間引き処理を行うことを特徴とするインクジェット記録方法。
【請求項３】
前記インクドットの間引き処理は、各単位領域内の注目した色のインク吐出量と、当該単位領域内の他の色のインク吐出量の合計とに応じて、前記注目した色のインク吐出量を予め定めた補正テーブルを参照することにより行う請求項２記載のインクジェット記録方法。
【請求項４】
インクを吐出する複数の吐出口を配列した記録ヘッドを前記吐出口の配列方向と異なる方向に繰り返し走査して順次バンド単位に画像記録を行うインクジェット記録装置において、
２値化画像データに基づいて、各バンドの第１ラスタまたは第１ラスタを含む複数ラスタおよび最終ラスタまたは最終ラスタを含む複数ラスタの少なくとも一方を、おのおの予め定めた個数のドットからなる複数の単位領域に分割し、各単位領域内のインク吐出量を求める手段と、
この求められたインク吐出量に基づいて、当該単位領域内のインク吐出量を低減するよう、吐出すべきインクドットの間引き処理を行う間引き手段とを備え、
間引き処理により、バンドとバンドの境界におけるつなぎスジの発生を緩和することを特徴とするインクジェット記録装置。
【請求項５】
前記間引き手段は、インク吐出量とこれに対応する補正されたインク吐出量とを予め定めた補正テーブルを用いて、前記間引き処理を行うことを特徴とする請求項４記載のインクジェット記録装置。
【請求項６】
前記補正テーブルは、補正の対象とするインクの色毎に別個に設ける請求項５記載のインクジェット記録装置。
【請求項７】
前記補正テーブルは、２値化画像データに基づいて、各単位領域内の注目した色のインク吐出量と、当該単位領域内の他の色のインク吐出量の合計とに応じて、前記注目した色の補正後のインク吐出量を定めたことを特徴とする請求項５または６記載のインクジェット記録装置。
【請求項８】
前記補正テーブルは、少なくとも被記録媒体の種類を含む記録条件に応じて複数設けられ、当該条件に応じて使い分けられる請求項５、６または７記載のインクジェット記録装置。
【請求項９】
前記単位領域内のインクドットの間引きにおいて、間引きの対象となるドットの優先順位が各単位領域のドット位置に応じて予め定められていることを特徴とする請求項４〜８のいずれかに記載のインクジェット記録装置。
【請求項１０】
バンドの第１ラスタまたは第１ラスタを含む複数ラスタおよび最終ラスタまたは最終ラスタを含む複数ラスタをドット間引きの対象とする場合、第１ラスタまたは第１ラスタを含む複数ラスタと最終ラスタまたは最終ラスタを含む複数ラスタとで前記間引きの対象となるドットの優先順位を異ならせることを特徴とする請求項９記載のインクジェット記録装置。
【手続補正２】
【補正対象書類名】明細書
【補正対象項目名】００１０
【補正方法】変更
【補正の内容】
【００１０】
【課題を解決するための手段】
上記目的を達成するため本発明は、インクを吐出する複数の吐出口を配列した記録ヘッドを、前記吐出口の配列方向と異なる方向に繰り返し走査して順次バンド単位に画像記録を行うインクジェット記録方法において、前記記録ヘッドの１回の走査により記録される１バンドの第１ラスタまたは第１ラスタを含む複数ラスタおよび最終ラスタまたは最終ラスタを含む複数ラスタの少なくとも一方を、おのおの予め定めた個数のドットからなる複数の単位領域に分割し、２値化画像データに基づいて、前記単位領域毎に、インク吐出量を認識し、この認識されたインク吐出量に基づいて、当該単位領域内のインク吐出量を低減するよう、吐出すべきインクドットの間引き処理を行うことにより、バンドとバンドの境界におけるつなぎスジの発生を緩和することを特徴とする。
【手続補正３】
【補正対象書類名】明細書
【補正対象項目名】００１３
【補正方法】変更
【補正の内容】
【００１３】
本発明は、他の見地によれば、インクを吐出する複数の吐出口を配列した記録ヘッドを複数の色毎に用い、前記吐出口の配列方向と異なる方向に前記記録ヘッドを繰り返し走査して順次バンド単位に画像記録を行うインクジェット記録方法において、前記記録ヘッドの１回の走査により記録される１バンドの第１ラスタまたは第１ラスタを含む複数ラスタおよび最終ラスタまたは最終ラスタを含む複数ラスタの少なくとも一方を、おのおの予め定めた個数のドットからなる複数の単位領域に分割し、２値化画像データに基づいて、各単位領域内の注目した色のインク吐出量と、当該単位領域内の他の色のインク吐出量の合計とに応じて、前記注目した色のインク吐出量を低減するよう補正し、この補正を前記単位領域内の他の色について順次繰り返し実行し、さらに、補正対象のラスタ内のすべての単位領域について上記補正を順次繰り返し実行し、このように各単位領域について、補正されたインク吐出量で各注目した色のインク吐出を行うよう前記単位領域内の注目した色の吐出すべきインクドットの間引き処理を行うことを特徴とする。
【手続補正４】
【補正対象書類名】明細書
【補正対象項目名】００１５
【補正方法】変更
【補正の内容】
【００１５】
本発明によるインクジェット記録装置は、インクを吐出する複数の吐出口を配列した記録ヘッドを前記吐出口の配列方向と異なる方向に繰り返し走査して順次バンド単位に画像記録を行うインクジェット記録装置において、２値化画像データに基づいて、各バンドの第１ラスタまたは第１ラスタを含む複数ラスタおよび最終ラスタまたは最終ラスタを含む複数ラスタの少なくとも一方を、おのおの予め定めた個数のドットからなる複数の単位領域に分割し、各単位領域内のインク吐出量を求める手段と、この求められたインク吐出量に基づいて、当該単位領域内のインク吐出量を低減するよう、吐出すべきインクドットの間引き処理を行う間引き手段とを備え、間引き処理により、バンドとバンドの境界におけるつなぎスジの発生を緩和することを特徴とする。
【手続補正５】
【補正対象書類名】明細書
【補正対象項目名】００２１
【補正方法】変更
【補正の内容】
【００２１】
バンドの第１ラスタまたは第１ラスタを含む複数ラスタおよび最終ラスタまたは最終ラスタを含む複数ラスタをドット間引きの対象とする場合、第１ラスタと最終ラスタとで前記間引きの対象となるドットの優先順位を異ならせることが好ましい。